(57)【要約】【課題】メンバとバンパとの間の距離が長い場合であっても、エクステンションに折り曲げ用の穴を不要にすると共に、強度を確保するエクステンション構造を提供する。【解決手段】エクステンション２１を第一部材２２と第二部材２３により構成し、  第一部材２２は、絞り成形により構成されると共に、ボルト２４を立設した第一正面板２５と、第一正面板２５の周囲の一部を形成する第一周囲面２６とを備え、  第二部材２３は、絞り成形により構成されると共に、ボルト２４を挿通し得る孔２８を穿設した第二正面板２９と、第二正面板２９の周囲の一部を形成する第二周囲面３０とを備え、  第一部材２２と第二部材２３を組み合わせた際には、第一正面板２５と第二正面板２９を重ねて正面部３２を構成すると共に、第一周囲面２６と第二周囲面３０により周囲部３３を形成するように構成される。【選択図】図１
2008184117.tif 000002
【特許請求の範囲】
【請求項１】
車両のメンバを延長してバンパを取り付けるエクステンションを第一部材と第二部材により構成し、
前記第一部材は、絞り成形により構成されると共に、ボルトを立設した第一正面板と、該第一正面板の周囲の一部を形成する第一周囲面とを備え、
前記第二部材は、絞り成形により構成されると共に、前記ボルトを挿通し得る孔を穿設した第二正面板と、該第二正面板の周囲の一部を形成する第二周囲面とを備え、
前記第一部材と前記第二部材を組み合わせた際には、第一正面板と第二正面板を重ねて正面部を構成すると共に、第一周囲面と第二周囲面により周囲部を形成するように構成されたことを特徴とするエクステンション構造。
【請求項２】
前記第一部材は、第一周囲面に沿って形成される第一フランジを備えると共に、前記第二部材は、第二周囲面に沿って形成される第二フランジを備え、
前記第一部材と前記第二部材を組み合わせた際には、第一フランジと第二フランジにより周囲部のフランジ部を形成するように構成された請求項１記載のエクステンション構造。
【請求項３】
ボルトは、複数のボルトで構成されると共に、第一正面板及び第二正面板を貫通するように構成された請求項１記載のエクステンション構造。
【発明の詳細な説明】
【技術分野】
【０００１】
本発明は、車体のメンバを延長してバンパを取付可能にするエクステンション構造に関するものである。
【背景技術】
【０００２】
一般に、車両のプラットフォームを共通化した場合には、車両の種類によって、図７に示す如くフロアメンバ１とバンパ２との間に距離の違い３を生じるため、この距離の違い３を補完及び補強するようにフロアメンバ１とバンパ２の間にエクステンション４を配置している。
【０００３】
エクステンション４は、フロアメンバ１とバンパ２との間の距離に応じて種々のものが構成されており、その一例としては、フロアメンバ１とバンパ２との間の距離が短い場合に、絞り成形により構成されるものがあり、このようなエクステンション４は、図８，図９に示す如く、複数のボルト５を立設する正面部６と、正面部６を突出させるよう正面部６の周囲を囲む周囲部７と、周囲部７から外方へ延在して形成されるフランジ８とを備えている。当該エクステンション４を配置する際には、図７のフロアメンバ１とバンパ２の構成において、エクステンション４をロアバック１ａ等を介してフロアメンバ１に取り付け、更にエクステンション４の正面部６にはボルト５を介してバンパリインフォース９に取り付けている。
【０００４】
一方、エクステンション４の他例としては、フロアメンバ１とバンパ２との間の距離が長い場合に、図１０に示す如く、板材の折り曲げによって構成されるものがあり、このようなエクステンション４ａは、ボルト（図示せず）を配置する正面部１０と、板材を折り込んで正面部１０を突出させるよう正面部１０の周囲を囲む周囲部１１と、周囲部１１の上面１１ａ及び下面１１ｂを側面１１ｃに溶接する折返部１２と、側面１１ｃ及び下面１１ｂから外方へ延在して形成されるフランジ１３とを備えている。又、このエクステンション４ａを配置する際には、図７のフロアメンバ１とバンパ２の構成において、同様に、ロアバック１ａ等を介してフロアメンバ１に取り付け、更にエクステンション４ａの正面部６をボルト５を介してバンパリインフォース９に取り付けている。
【０００５】
なお、フロアメンバとバンパの構造としては、例えば、特許文献１，２がある。
【特許文献１】特開２００４−５０９５５号公報
【特許文献２】特開２００５−６７２４９号公報
【発明の開示】
【発明が解決しようとする課題】
【０００６】
しかしながら、絞り成形によりエクステンション４を形成した場合には、エクステンション４の長さを長くできないため、配置条件がフロアメンバ１とバンパ２との間の距離が短い場合に限定されるという問題がある。又、絞り成形によるエクステンション４の強度が要求される場合には、図９に示す如く、エクステンション４の内側にリインフォース１４を配置して強度を確保する必要がある。更に、図１０に示す如く、板材を折り曲げてエクステンション４ａを構成した場合には、正面部１０の四隅に折り曲げ用の穴１５が生じるため、強度上不利になるという問題があった。更に又、エクステンション４には、図７に示す如く、衝突時の荷重１６による圧縮荷重に加えてモーメント１７も発生するため、車両の左右方向の剛性も求められている。
【０００７】
本発明は上述の実情に鑑みてなしたもので、メンバとバンパとの距離が長い場合であっても、エクステンションに折り曲げ用の穴を不要にすると共に、強度を確保するエクステンション構造を提供することを目的としている。
【課題を解決するための手段】
【０００８】
本発明は、車両のメンバを延長してバンパを取り付けるエクステンションを第一部材と第二部材により構成し、
前記第一部材は、絞り成形により構成されると共に、ボルトを立設した第一正面板と、該第一正面板の周囲の一部を形成する第一周囲面とを備え、
前記第二部材は、絞り成形により構成されると共に、前記ボルトを挿通し得る孔を穿設した第二正面板と、該第二正面板の周囲の一部を形成する第二周囲面とを備え、
前記第一部材と前記第二部材を組み合わせた際には、第一正面板と第二正面板を重ねて正面部を構成すると共に、第一周囲面と第二周囲面により周囲部を形成するように構成されたことを特徴とするエクステンション構造、に係るものである。
【０００９】
本発明において、前記第一部材は、第一周囲面に沿って形成される第一フランジを備えると共に、前記第二部材は、第二周囲面に沿って形成される第二フランジを備え、
前記第一部材と前記第二部材を組み合わせた際には、第一フランジと第二フランジにより周囲部のフランジ部を形成するように構成されることが好ましい。
【００１０】
本発明において、ボルトは、複数のボルトで構成されると共に、第一正面板及び第二正面板を貫通するように構成されることが好ましい。
【００１１】
このように、本発明によれば、第一部材と第二部材を絞り成形により構成し、第一部材と第二部材を用いてエクステンションを構成するので、メンバとバンパとの間の距離が長い場合であっても、絞り成形のエクステンションを適用することができる。又、エクステンションを絞り成形により構成すると共に、第一周囲面と第二周囲面により周囲部を構成するので、メンバとバンパとの間の距離が長い場合であっても、折り曲げ用の穴を不要にして強度を確保することができる。更に、第一部材と第二部材により構成したエクステンションは、第一正面板と第二正面板を重ねて正面部を形成するので、強度を確保することができる。
【００１２】
本発明において、第一部材は、第一周囲面に沿って形成される第一フランジを備えると共に、第二部材は、第二周囲面に沿って形成される第二フランジを備え、第一部材と第二部材を組み合わせた際には、第一フランジと第二フランジにより周囲部のフランジ部を形成するように構成されると、容易にフランジを形成してエクステンションをメンバとバンパとの間に安定的に配置し、強度を確保することができる。
【００１３】
本発明において、ボルトは、複数のボルトで構成されると共に、第一正面板及び第二正面板を貫通するように構成されると、メンバとバンパとの間に配置するエクステンションの結合剛性を高め、強度を一層向上させることができる。
【発明の効果】
【００１４】
上記した本発明のエクステンション構造によれば、第一部材と第二部材を絞り成形により構成し、第一部材と第二部材を用いてエクステンションを構成するので、メンバとバンパの間の距離が長い場合であっても、エクステンションに折り曲げ用の穴を不要にすると共に、強度を確保することができるという種々の優れた効果を奏し得る。
【発明を実施するための最良の形態】
【００１５】
以下本発明の実施の形態を図面を参照しつつ説明する。
【００１６】
図１〜図６は本発明を実施する形態例を示すものである。
【００１７】
本発明の形態例において、エクステンション２１は、第一部材２２及び第二部材２３を組み合わせて構成されている。
【００１８】
第一部材２２は、絞り成形により一体構成されると共に、複数のボルト２４（図では３本）を立設した第一正面板２５と、第一正面板２５の周囲の略半分（一部）として左側壁面２６ａ、上面２６ｂ、下面２６ｃを形成して第一正面板２５を突出させる第一周囲面２６と、第一周囲面２６に沿って縁部から外方へ向かって第一正面板２５と略平行に形成される第一フランジ２７とを備えている。
【００１９】
ここで、第一正面板２５に立設するボルト２４は、第一正面板２５の裏面から挿通されてボルトヘッド２４を溶接して固定されると共に、第一正面板２５の一方（図３では上方）に二本配置されると共に、第一正面板２５の他方（図３では下方）に一本配置されている。
【００２０】
第二部材２３は、絞り成形により一体構成されると共に、第一部材２２のボルト２４を挿通し得る孔２８（図では３個）を穿設した第二正面板２９と、第二正面板２９の周囲の略半分（一部）として右側壁面３０ａ、上面３０ｂ、下面３０ｃを形成して第二正面板２９を突出させる第二周囲面３０と、第二周囲面３０に沿って縁部から外方へ向かって第二正面板２９と略平行に形成される第二フランジ３１とを備えている。
【００２１】
第一部材２２と前記第二部材２３を組み合わせる際には、第二正面板２９の孔２８に第一正面板２５のボルト２４を挿通することにより、第一正面板２５と第二正面板２９を重ねて正面部３２を構成すると共に、第一周囲面２６と第二周囲面３０により周囲部３３を形成し、更に第一フランジ２７と第二フランジ３１により周囲部３３のフランジ部３４を形成している。なお、周囲部３３を正面部３２の全周にわたって形成し、又、フランジ部３４を周部部３３の全周にわたって設けた場合には、強度をより高めることができる。
【００２２】
ここで、エクステンション２１の正面部３２のみならず、周囲部３３の上部及び下部も、第一周囲面２６と第二周囲面３０が重なっており、更に、フランジ部３４の上部及び下部も、第一フランジ２７と第二フランジ３１が重なっており、重なっている部位はスポット溶接により接合されている。
【００２３】
以下、本発明を実施する形態例の作用を説明する。
【００２４】
エクステンション２１を、図７の如きフロアメンバ１とバンパ２のバンパリインフォース９との間に配置する際には、エクステンション２１のフランジ部３４をロアバック１ａ等を介してフロアメンバ１に取り付け、更にエクステンション２１の正面部３２をボルト２４を介してバンパリインフォース９に取り付ける。
【００２５】
このように、実施の形態例によれば、第一部材２２と第二部材２３を絞り成形により構成し、第一部材２２と第二部材２３を用いてエクステンション２１を構成するので、フロアメンバ１とバンパ２との間の距離が長い場合であっても、絞り成形のエクステンション２１を適用することができる。又、エクステンション２１を絞り成形により構成すると共に、第一周囲面２６と第二周囲面３０により周囲部３３を構成するので、フロアメンバ１とバンパ２との間の距離が長い場合であっても、折り曲げ用の穴を不要にして強度を確保することができる。更に、第一部材２２と第二部材２３により構成したエクステンション２１は、第一正面板２５と第二正面板２９を重ねて正面部３２を形成するので、バンパリインフォース９に取り付ける正面部３２の強度を確保することができる。更に又、第一周囲面２６及び第二周囲面３０により周囲部３３に重なり部分を形成するので、周囲部３３の剛性を確保することができる。又、エクステンション２１では衝突時の荷重１６により圧縮荷重に加えてモーメント１７が発生した場合であっても、車両の左右方向の剛性を有することができる。
【００２６】
ここで、板材を折り曲げて構成した従来のエクステンションがアーク溶接を多用するのに対し、実施の形態例のエクステンション２１は、スポット溶接が容易であると共に、溶接点数を削減し、製造コストを低減することができる。又、板材を折り曲げて構成した従来のエクステンションの構成に対し、実施の形態のエクステンション２１は、部品点数を低減し、加工性を良くすることができる。
【００２７】
実施の形態例において、第一部材２２は、第一周囲面２６に沿って形成される第一フランジ２７を備えると共に、第二部材２３は、第二周囲面３０に沿って形成される第二フランジ３１を備え、第一部材２２と第二部材２３を組み合わせた際には、第一フランジ２７と第二フランジ３１により周囲部３３のフランジ部３４を形成するように構成されると、容易にフランジ部３４を形成してエクステンション２１をフロアメンバ１とバンパ２との間に安定的に配置し、強度を確保することができる。
【００２８】
実施の形態例において、ボルト２４は、複数のボルト２４で構成されると共に、第一正面板２５及び第二正面板２９を貫通するように構成されると、メンバとバンパ２との間に配置するエクステンション２１の結合剛性を高め、強度を一層向上させることができる。又、複数のボルト２４により第一部材２２及び第二部材２３を結合するので、衝突時の荷重により圧縮荷重に加えてモーメントが発生した場合であっても、車両の左右方向の剛性を好適に有することができる。
【００２９】
尚、本発明のエクステンション構造は、上述の形態例にのみ限定されるものではなく、本発明の要旨を逸脱しない範囲内において種々変更を加え得ることは勿論である。
【図面の簡単な説明】
【００３０】
【図１】本発明を実施する形態例のエクステンション構造を示す概略図である。
【図２】図１のＩＩ−ＩＩ方向矢視図である。
【図３】エクステンションの第一部材を示す概略図である。
【図４】図３のＩＶ−ＩＶ方向矢視図である。
【図５】エクステンションの第二部材を示す概略図である。
【図６】図５のＶＩ−ＶＩ方向矢視図である。
【図７】バンパとフロアメンバの間にエクステンションを配置する状態を示す概念図である。
【図８】従来のエクステンション構造の一例を示す概念図である。
【図９】図８のＸＩ−ＸＩ方向矢視図である。
【図１０】従来のエクステンション構造の他例を示す概念図である。
【符号の説明】
【００３１】
１    フロアメンバ（メンバ）
２    バンパ
２１    エクステンション
２２    第一部材
２３    第二部材
２４    ボルト
２５    第一正面板
２６    第一周囲面
２７    第一フランジ
２８    孔
２９    第二正面板
３０    第二周囲面
３１    第二フランジ
３２    正面部
３３    周囲部
３４    フランジ部
【図１】
2008184117.tif 000003
【図２】
2008184117.tif 000004
【図３】
2008184117.tif 000005
【図４】
2008184117.tif 000006
【図５】
2008184117.tif 000007
【図６】
2008184117.tif 000008
【図７】
2008184117.tif 000009
【図８】
2008184117.tif 000010
【図９】
2008184117.tif 000011
【図１０】
2008184117.tif 000012